(57)【要約】【課題】端末装置が効率の良い上りリンクのデータ送信を行なう。【解決手段】  端末装置は、送信可能な周波数帯域の組み合わせを示す周波数帯域情報と、周波数帯域情報で示される複数の上りリンクの周波数帯域を基地局装置の指示に従って切り替え可能かを示す周波数切り替え可否情報を含んだ端末装置の送信能力情報を基地局装置に通知し、基地局装置は、送信能力情報にもとづいて端末装置に複数の上りリンクの周波数帯域を切り替えて使用するキャリアアグリゲーションの設定を行い、端末装置の送信能力情報にもとづいて端末装置への上りリンクのスケジューリングを行う。【選択図】図１
2016040855.tif 000002
【特許請求の範囲】
【請求項１】
基地局装置と端末装置とが通信を行う無線通信システムであって、
前記端末装置は、送信可能な周波数帯域の組み合わせを示す周波数帯域情報と、前記周波数帯域情報で示される複数の上りリンクの周波数帯域を前記基地局装置の指示に従って切り替え可能かを示す周波数切り替え可否情報を含んだ端末装置の送信能力情報を前記基地局装置に通知し、
前記基地局装置は、前記送信能力情報にもとづいて前記端末装置に前記複数の上りリンクの周波数帯域を切り替えて使用するキャリアアグリゲーションの設定を行うことを特徴とする無線通信システム。
【請求項２】
端末装置と通信を行う基地局装置であって、
前記端末装置から送信可能な周波数帯域の組み合わせを示す周波数帯域情報と、前記周波数帯域情報で示される複数の上りリンクの周波数帯域を前記基地局装置の指示に従って切り替え可能かを示す周波数切り替え可否情報を含んだ端末装置の送信能力情報を受信し、
前記送信能力情報にもとづいて、前記端末装置に前記複数の上りリンクの周波数帯域を切り替えて使用するキャリアアグリゲーションの設定を行うことを特徴とする基地局装置。
【請求項３】
基地局装置から複数セルを割り当てられ、前記基地局装置と通信を行う端末装置であって、
前記基地局装置に送信可能な周波数帯域の組み合わせを示す周波数帯域情報と、前記周波数帯域情報で示される複数の上りリンクの周波数帯域を前記基地局装置の指示に従って切り替え可能かを示す周波数切り替え可否情報を含んだ端末装置の送信能力情報を通知することを特徴とする端末装置。
【請求項４】
請求項３記載の端末装置であって、
周波数切り替えの処理時間に関する送信能力情報を通知することを特徴とする端末装置。
【請求項５】
基地局装置と端末装置とが通信を行う無線通信システムに適用される無線通信方法であって、
前記端末装置は、送信可能な周波数帯域の組み合わせを示す周波数帯域情報と、前記周波数帯域情報で示される複数の上りリンクの周波数帯域を前記基地局装置の指示に従って切り替え可能かを示す周波数切り替え可否情報を含んだ端末装置の送信能力情報を前記基地局装置に通知するステップと、
前記基地局装置は、前記送信能力情報にもとづいて前記端末装置に前記複数の上りリンクの周波数帯域を切り替えて使用するキャリアアグリゲーションの設定を行うステップとを少なくとも含むことを特徴とする無線通信方法。
【請求項６】
端末装置と通信を行う基地局装置に適用される適用される集積回路であって、
前記端末装置から送信可能な周波数帯域の組み合わせを示す周波数帯域情報と、前記周波数帯域情報で示される複数の上りリンクの周波数帯域を前記基地局装置の指示に従って切り替え可能かを示す周波数切り替え可否情報を含んだ端末装置の送信能力情報を受信する手段と、
前記送信能力情報にもとづいて、前記端末装置にキャリアアグリゲーションを設定するか否の判定を行う手段と、前記端末装置にキャリアアグリゲーションの設定を行う手段を有することを特徴とする集積回路。
【請求項７】
基地局装置から複数セルを割り当てられ、前記基地局装置と通信を行う端末装置に適用される集積回路であって、
前記基地局装置に送信可能な周波数帯域の組み合わせを示す周波数帯域情報と、前記周波数帯域情報で示される複数の上りリンクの周波数帯域を前記基地局装置の指示に従って切り替え可能かを示す周波数切り替え可否情報を含んだ端末装置の送信能力情報を通知する手段を有することを特徴とする集積回路。
【発明の詳細な説明】
【技術分野】
【０００１】
本発明は、基地局装置、端末装置および無線通信システムに関連し、より詳細には、上りリンクの送信タイミングの通知時の動作における無線通信システム、基地局装置、端末装置、無線通信方法及び集積回路に関する。
【背景技術】
【０００２】
３ＧＰＰ（3rd Generation Partnership Project）では、Ｗ−ＣＤＭＡ方式が第三世代セルラー移動通信方式として標準化され、順次サービスが開始されている。また、通信速度を更に上げたＨＳＤＰＡも標準化され、サービスが行われている。
【０００３】
一方、３ＧＰＰでは、第三世代無線アクセスの進化（Evolved Universal Terrestrial Radio Access；以下、「EUTRA」と呼称する。）の標準化も行われ、サービスが開始されている。ＥＵＴＲＡの下りリンクの通信方式として、マルチパス干渉に強く、高速伝送に適したＯＦＤＭ（Orthogonal Frequency Division Multiplexing）方式が採用されている。また、上りリンクの通信方式として、移動局装置のコストと消費電力を考慮し、送信信号のピーク対平均電力比ＰＡＰＲ（Peak to Average Power Ratio）を低減できるシングルキャリア周波数分割多重方式ＳＣ−ＦＤＭＡ（Single Carrier-Frequency Division Multiple Access）のＤＦＴ（Discrete Fourier Transform（離散フーリエ変換））−ｓｐｒｅａｄ  ＯＦＤＭ方式が採用されている。
【０００４】
また、３ＧＰＰでは、ＥＵＴＲＡの更なる進化のＡｄｖａｎｃｅｄ−ＥＵＴＲＡの標準化作業も行なわれている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことが想定されている。
【０００５】
Ａｄｖａｎｃｅｄ−ＥＵＴＲＡでは、ＥＵＴＲＡの移動局装置も収容できるようにＥＵＴＲＡの２０ＭＨｚの帯域を複数個束ねることで、１００ＭＨｚ帯域を実現することが考えられている。尚、Ａｄｖａｎｃｅｄ−ＥＵＴＲＡでは、ＥＵＴＲＡの１つの２０ＭＨｚ以下の帯域をコンポーネントキャリア（Component Carrier : ＣＣ）と呼ばれている。コンポーネントキャリアは、セル（Cell）とも呼ばれている。また、２０ＭＨｚの帯域を束ねることをキャリアアグリゲーション(Carrier Aggregation：ＣＡ)と呼ばれている（非特許文献１）。
【０００６】
また、Ａｄｖａｎｃｅｄ−ＥＵＴＲＡでは、同時に２つ以上の上りリンクコンポーネントキャリアに送信する能力のない移動局装置に対して、基地局装置がキャリアアグリゲーションを設定して、移動局装置が基地局装置からの指示に従って時間毎にコンポーネントキャリアを切り替えてデータを送信する方法が提案されている。
【０００７】
この方法は、“Time-Switched UL CA”と呼ばれている（非特許文献２）。尚、この方法は、同時に２つ以上の上りリンクコンポーネントキャリアに送信する能力がある移動局装置に対しても、同時に２つ以上の上りリンクコンポーネントキャリアに送信する場合にキャリア間で干渉を起こし、通信に影響が発生する環境に対しても有効であることが示されている。
【先行技術文献】
【非特許文献】
【０００８】
【非特許文献１】3GPP TS(Technical Specification)36.300、V11.3.0(2012-09)、Evolved Universal Terrestrial Radio Access(E-UTRA) and Evolved Universal Terrestrial Radio Access Network(E-UTRAN)、Overall description Stage2
【非特許文献２】R2-123997、NTT DOCOMO、Fujitsu、NEC、Panasonic、”Introduction of 1CC transmission in a TTI for UL CA”、 3GPP TSG-RAN WG2#79、Qingdao、China、13-17 August、2012
【発明の概要】
【発明が解決しようとする課題】
【０００９】
移動局装置が、基地局装置からの指示に従って時間毎に上りリンクコンポーネントキャリアを切り替えてデータ送信する場合、基地局装置は、移動局装置が上りリンクコンポーネントキャリアを切り替えながらデータ送信する能力あるかどうかわからないと、基地局装置は移動局装置にコンポーネントキャリアの切り替え指示ができない。
【００１０】
本発明は、移動局装置が、基地局装置からの指示に従って時間毎にコンポーネントキャリアを切り替えてデータ送信する方法について、効率良く基地局装置が移動局装置を制御するための移動局装置、基地局装置、無線通信システム、無線通信方法及び集積回路を提供することを目的とする。
【課題を解決するための手段】
【００１１】
（１）上記の目的を達成するために、本発明は、以下のような手段を講じた。すなわち、本発明の無線通信システムは、基地局装置と端末装置とが通信を行う無線通信システムであって、前記端末装置は、送信可能な周波数帯域の組み合わせを示す周波数帯域情報と、前記周波数帯域情報で示される複数の上りリンクの周波数帯域を前記基地局装置の指示に従って切り替え可能かを示す周波数切り替え可否情報を含んだ端末装置の送信能力情報を前記基地局装置に通知し、前記基地局装置は、前記送信能力情報にもとづいて前記端末装置に前記複数の上りリンクの周波数帯域を切り替えて使用するキャリアアグリゲーションの設定を行うことを特徴とする。
【００１２】
（２）また、本発明の基地局装置は、端末装置と通信を行う基地局装置であって、前記端末装置から送信可能な周波数帯域の組み合わせを示す周波数帯域情報と、前記周波数帯域情報で示される複数の上りリンクの周波数帯域を前記基地局装置の指示に従って切り替え可能かを示す周波数切り替え可否情報を含んだ端末装置の送信能力情報を受信し、前記送信能力情報にもとづいて、前記端末装置に前記複数の上りリンクの周波数帯域を切り替えて使用するキャリアアグリゲーションの設定を行うことを特徴とする。
【００１３】
（３）また、本発明の端末装置は、基地局装置から複数セルを割り当てられ、前記基地局装置と通信を行う端末装置であって、前記基地局装置に送信可能な周波数帯域の組み合わせを示す周波数帯域情報と、前記周波数帯域情報で示される複数の上りリンクの周波数帯域を前記基地局装置の指示に従って切り替え可能かを示す周波数切り替え可否情報を含んだ端末装置の送信能力情報を通知することを特徴とする。
【００１４】
（４）また、本発明の端末装置は、周波数切り替えの処理時間に関する送信能力情報を通知することを特徴とする。
【００１５】
（５）また、本発明の無線通信方法は、基地局装置と端末装置とが通信を行う無線通信システムに適用される無線通信方法であって、前記端末装置は、送信可能な周波数帯域の組み合わせを示す周波数帯域情報と、前記周波数帯域情報で示される複数の上りリンクの周波数帯域を前記基地局装置の指示に従って切り替え可能かを示す周波数切り替え可否情報を含んだ端末装置の送信能力情報を前記基地局装置に通知するステップと、前記基地局装置は、前記送信能力情報にもとづいて前記端末装置に前記複数の上りリンクの周波数帯域を切り替えて使用するキャリアアグリゲーションの設定を行うステップとを少なくとも含むことを特徴とする。
【００１６】
（６）また、本発明の集積回路は、端末装置と通信を行う基地局装置に適用される適用される集積回路であって、前記端末装置から送信可能な周波数帯域の組み合わせを示す周波数帯域情報と、前記周波数帯域情報で示される複数の上りリンクの周波数帯域を前記基地局装置の指示に従って切り替え可能かを示す周波数切り替え可否情報を含んだ端末装置の送信能力情報を受信する手段と、前記送信能力情報にもとづいて、前記端末装置にキャリアアグリゲーションを設定するか否の判定を行う手段と、前記端末装置にキャリアアグリゲーションの設定を行う手段を有することを特徴とする。
【００１７】
（７）また、本発明の集積回路は、基地局装置から複数セルを割り当てられ、前記基地局装置と通信を行う端末装置に適用される集積回路であって、前記基地局装置に送信可能な周波数帯域の組み合わせを示す周波数帯域情報と、前記周波数帯域情報で示される複数の上りリンクの周波数帯域を前記基地局装置の指示に従って切り替え可能かを示す周波数切り替え可否情報を含んだ端末装置の送信能力情報を通知する手段を有することを特徴とする。
【発明の効果】
【００１８】
本発明によれば、移動局装置が、基地局装置に移動局装置の送信能力情報を通知することにより、基地局装置は、効率よく移動局装置の送信能力情報を基づいて移動局装置に対してキャリアアグリゲーションの設定、上りリンクスケジューリングをすることが可能となる。
【図面の簡単な説明】
【００１９】
【図１】本発明の実施形態に係る移動局装置の構成を示す図である。
【図２】本発明の実施形態に係る基地局装置の構成を示す図である。
【図３】本発明の実施形態に係る移動局装置の送信能力情報を通知する手順を示す図である。
【図４】本発明の実施形態に係る移動局装置の送信能力情報を通知する手順を示す図である。
【図５】本発明の実施形態に係る移動局装置の送信能力情報を通知する手順を示す図である。
【図６】本発明の実施形態に係る移動局装置の送信能力情報を通知する手順を示す図である。
【図７】ＥＵＴＲＡにおける物理チャネル構成を示す図である。
【図８】ＥＵＴＲＡにおける上りリンクの構成を示す図である。
【図９】Ａｄｖａｎｃｅｄ−ＥＵＴＲＡにおける下りリンクのコンポーネントキャリアについての説明図である。
【図１０】Ａｄｖａｎｃｅｄ−ＥＵＴＲＡにおける上りリンクのコンポーネントキャリアについての説明図である。
【図１１】ＥＵＲＴＡの移動局装置及び基地局装置の制御データを扱うプロトコルスタックについての説明図である。
【発明を実施するための形態】
【００２０】
ＥＵＴＲＡの下りリンクの物理チャネルは、下りリンク参照信号（Downlink Reference Signal）、下りリンク同期信号（Downlink Synchronization Signal）、下りリンク共用チャネルＰＤＳＣＨ（Physical Downlink Shared Channel）、下りリンク制御チャネルＰＤＣＣＨ（Physical Downlink Control Channel）、報知チャネルＰＢＣＨ（Physical Broadcast Channel）から構成されている。
【００２１】
ＥＵＴＲＡの上りリンクの物理チャネルは、上りリンク参照信号（Uplink Reference Signal）、ランダムアクセスチャネルＰＲＡＣＨ（Physical Random Access Channel）、上りリンク共用チャネルＰＵＳＣＨ（Physical Uplink Shared Channel）、上りリンク制御チャネルＰＵＣＣＨ（Physical Uplink Control Channel）から構成されている。また、上りリンク参照信号には、復調用参照信号（Demodulation Reference Signal）と測定用参照信号（Sounding Reference Signal）の2種類の信号がある。
【００２２】
図７は、ＥＵＴＲＡにおける物理チャネル構成を示す図であり、図８は、ＥＵＴＲＡにおける上りリンクの構成を示す図である。１ブロックは、１２本のサブキャリアと７つのＯＦＤＭシンボルから構成される。そして、２つのブロックを使用して、１リソースブロック（Resource Block：RB）を構成する。上りリンク共用チャネルＰＵＳＣＨと上りリンク制御チャネルＰＵＣＣＨは、１リソースブロック単位で使用される。ランダムアクセスチャネルＰＲＡＣＨは、６リソースブロック分を使用して構成される。
【００２３】
上りリンク参照信号は、リソースブロック内の特定のＯＦＤＭシンボルに配置される。上りリンクの各チャネルは、図８のように上りリンク共用チャネルＰＵＳＣＨの領域と上りリンク制御チャネルＰＵＣＣＨの領域とランダムアクセスチャネルＰＲＡＣＨとが分けられている。上りリンク共用チャネルＰＵＳＣＨと上りリンク制御チャネルＰＵＣＣＨの各領域に関する情報は、基地局装置から報知される。また、基地局装置は、各領域の中から移動局装置個別に上りリンク共用チャネルＰＵＳＣＨと上りリンク制御チャネルＰＵＣＣＨの無線リソースを割り当てる。尚、ランダムアクセスチャネルＲＡＣＨは、一定の周期で配置される。
【００２４】
下りリンク共用チャネルＰＤＳＣＨは、基地局装置から移動局装置へのユーザーデータや制御データの送信に使用される。下りリンク制御チャネルＰＤＣＣＨは、基地局装置から移動局装置への下りリンク共用チャネルＰＤＳＣＨと上りリンク共用チャネルＰＵＳＣＨの無線リソース割り当て情報などの制御情報通知に使用される。下りリンク参照信号は、下りリンク共用チャネルＰＤＳＣＨと下りリンク制御チャネルＰＤＣＣＨを復調するために使用される。下りリンク同期信号は、移動局装置が下りリンクの同期を取るために使用される。報知チャネルＰＢＣＨは、基地局装置のセルのシステム情報に関する情報を通知するために使用される。
【００２５】
上りリンク共用チャネルＰＵＳＣＨは、移動局装置から基地局装置へのユーザーデータや制御データの送信に使用される。尚、上りリンク共用チャネルＰＵＳＣＨと下りリンク共用チャネルＰＤＳＣＨで送受信されるデータは、ＨＡＲＱ（Hybrid Automatic Repeat reQuest）処理が行われ、再送時に初送データと再送データを合成処理することで再送時のデータの誤り訂正能力を向上させている。上りリンク制御チャネルＰＵＣＣＨは、基地局装置からの下りリンクのデータに対する応答（ＡＣＫ(Acknowledge)/ＮＡＣＫ(Negative acknowledge)）や下りリンクの無線伝搬路品質情報などの制御情報を通知する為に使用される。
【００２６】
ランダムアクセスチャネルＰＲＡＣＨは、主に移動局装置から基地局装置への上りリンクの送信タイミング情報を取得するためのランダムアクセスプリアンブル送信に使用される。ランダムアクセスプリアンブル送信はランダムアクセス手順の中で行なわれる。上りリンク参照信号の復調用参照信号は、基地局装置が上りリンク共用チャネルＰＵＳＣＨを復調するために使用され、上りリンク共用チャネルＰＵＳＣＨの４番目のシンボル位置と１１番目のシンボル位置に挿入される。上りリンク参照信号の測定用参照信号は、基地局装置が上りリンクの無線伝搬路品質を測定するために使用され、上りリンク共用チャネルＰＵＳＣＨの１４番目のシンボル位置に挿入される。尚、測定用参照信号を送信するための無線リソースは、基地局装置から移動局装置個別に割り当てられる。
【００２７】
ランダムアクセス手順には、競合ベースランダムアクセス手順（Contention based Random Access procedure）と非競合ベースランダムアクセス手順（Non-contention based Random Access procedure）の２つのアクセス手順がある（非特許文献１）。
【００２８】
競合ベースランダムアクセス手順は、移動局装置間で衝突する可能性のあるランダムアクセス手順であり、競合ベースランダムアクセス手順は、基地局装置と接続（通信）していない状態からの初期アクセス時や基地局装置と接続中であるが、上りリンク同期が外れている状態で移動局装置に上りリンクデータ送信が発生した場合のスケジューリングリクエストなどに行われる。
【００２９】
非競合ベースランダムアクセス手順は、移動局装置間で衝突が発生しないランダムアクセス手順であり、基地局装置と移動局装置が接続中であるが、上りリンクの同期が外れている場合に迅速に移動局装置と基地局装置との間の上りリンク同期をとるためにハンドオーバーや移動局装置の送信タイミングが有効でない場合等の特別な場合に基地局装置がランダムアクセス指示情報を移動局装置に通知することで、移動局装置がランダムアクセス手順を開始する（非特許文献１）。非競合ベースランダムアクセス手順は、ＲＲＣ（Ｒａｄｉｏ  Ｒｅｓｏｕｒｃｅ  Ｃｏｎｔｒｏｌ：Ｌａｙｅｒ３）層のメッセージ及び下りリンク制御チャネルＰＤＣＣＨの制御データにより指示される。
【００３０】
また、３ＧＰＰでは、ＥＵＴＲＡの更なる進化のＡｄｖａｎｃｅｄ−ＥＵＴＲＡの議論も始まっている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことを想定している。
【００３１】
図９は、Ａｄｖａｎｃｅｄ−ＥＵＴＲＡにおけるキャリアアグリゲーション時の下りリンクのコンポーネントキャリアの構成についての説明図である。図１０は、Ａｄｖａｎｃｅｄ−ＥＵＴＲＡにおけるキャリアアグリゲーション時の上りリンクのコンポーネントキャリアの構成についての説明図である。
【００３２】
Ａｄｖａｎｃｅｄ−ＥＵＴＲＡでは、ＥＵＴＲＡの移動局装置も収容できるようにＥＵＴＲＡの２０ＭＨｚ以下の帯域を複数個束ねることで、最大で１００ＭＨｚ帯域を実現することを考えている。尚、Ａｄｖａｎｃｅｄ−ＥＵＴＲＡでは、ＥＵＴＲＡの１つの２０ＭＨｚ以下の帯域をコンポーネントキャリア（Component Carrier : CC）と呼んでいる（非特許文献１）。また、１つの下りリンクのコンポーネントキャリアと１つの上りリンクのコンポーネントキャリアを組み合わせて１つのセルを構成する。尚、１つの下りリンクコンポーネントキャリアのみでも１つのセルを構成できる。
【００３３】
つまり、基地局装置は、移動局装置の通信能力や通信条件にあった複数のセルを割り当て、割り当てた複数のセルを介して移動局装置と通信を行なうようにしている。尚、移動局装置に割り当てられた複数のセルは、１つのセルを第一セル（Primary Cell）とそれ以外のセルを第二セル（Secondary Cell）としている。第一セルには、上りリンク制御チャネルＰＵＣＣＨの割り当てや、ランダムアクセスチャネルＰＲＡＣＨへのアクセス許可など特別な機能を設定している。
【００３４】
また、移動局装置の消費電力を少なくするために、割り当て直後の第二セルに対し、移動局装置は下りリンク共用チャネルＰＤＳＣＨおよび下りリンク制御チャネルＰＤＣＣＨの受信処理を行わず（または、下りリンク制御チャネルＰＤＣＣＨで指示された無線リソース割り当て情報に従わない）、基地局装置からアクティベート（Activate）を指示された後、アクティベートを指示された第二セルに対して下りリンク共用チャネルＰＤＳＣＨおよび下りリンク制御チャネルＰＤＣＣＨの受信処理を開始する（または、下りリンク制御チャネルＰＤＣＣＨで指示された無線リソース割り当て情報に従う）ようにしている。
【００３５】
また、移動局装置は、基地局装置からアクティベートしている第二セルに対してデアクティベート（deactivate）を指示された後、デアクティベートを指示された第二セルに対して下りリンク共用チャネルＰＤＳＣＨおよび下りリンク制御チャネルＰＤＣＣＨの受信処理を停止する（または、下りリンク制御チャネルＰＤＣＣＨで指示された無線リソース割り当て情報に従わない）ようにしている。
【００３６】
尚、基地局装置からアクティベートを指示され、下りリンク共用チャネルＰＤＳＣＨおよび下りリンク制御チャネルＰＤＣＣＨの受信処理を行っている第二セルをアクティベートセルと言い、また、基地局装置から移動局装置への割り当て直後の第二セル及びデアクティベートを指示され、下りリンク共用チャネルＰＤＳＣＨおよび下りリンク制御チャネルＰＤＣＣＨの受信処理を停止している第二セルをデアクティベートセルと言う。また、第一セルは、常にアクティベートセルである。
【００３７】
また、移動局装置が、複数のセルを使用して基地局装置と通信を行なう場合、リピータ（Repeater）などを介して基地局装置へ接続する場合がある。このような場合、移動局装置での下りリンクコンポーネントキャリアの受信タイミングと、上りリンクコンポーネントキャリア毎の基地局装置への送信タイミングの両方または一方がセル毎に異なることとなる。特に、上りリンクコンポーネントキャリア毎の基地局装置への送信タイミングが異なる場合、移動局装置は送信タイミングが同じとなるセルをグループ化して、グループ毎に送信タイミングの調整を行なう。
【００３８】
尚、送信タイミングが同じとなるセルで構成されるグループを送信タイミンググループと言う。基地局装置は、移動局装置に送信タイミンググループの構成情報を通知し、移動局装置は、送信タイミンググループの構成情報から送信タイミンググループを設定し、送信タイミンググループ毎に上りリンクの送信タイミングを管理する。
【００３９】
図１１は、ＥＵＲＴＡの移動局装置及び基地局装置の制御データを扱うプロトコルスタック（Protocol stack）である。図１１について以下で説明する。
【００４０】
物理層（Physical layer：ＰＨＹ層）は、物理チャネル（Physical Channel）を利用して上位層に伝送サービスを提供する。ＰＨＹ層は、上位の媒体アクセス制御層（Medium Access Control layer：ＭＡＣ層）とトランスポートチャネルで接続される。トランスポートチャネルを介して、ＭＡＣ層とＰＨＹ層とレイヤ（layer：層）間でデータが移動する。移動局装置と基地局装置のＰＨＹ層間において、物理チャネルを介してデータの送受信が行われる。
【００４１】
ＭＡＣ層は、多様な論理チャネルを多様なトランスポートチャネルにマッピングを行う。ＭＡＣ層は、上位の無線リンク制御層（Radio Link Control layer：ＲＬＣ層）とは論理チャネルで接続される。論理チャネルは、伝送される情報の種類によって大きく分けられ、制御情報を伝送する制御チャネルとユーザー情報を伝送するトラフィックチャネルに分けられる。
【００４２】
ＲＬＣ層は、上位層から受信したデータを分割（Segmentation）及び連結(Concatenation)し、下位層が適切にデータ送信できるようにデータサイズを調節する。また、ＲＬＣ層は、各データが要求するＱｏＳ（Quality of Service）を保証するための機能も持つ。すなわち、ＲＬＣ層は、データの再送制御等の機能を持つ。
【００４３】
パケットデータコンバージェンスプロトコル層（Packet Data Convergence Protocol layer：ＰＤＣＰ層）は、ユーザーデータであるＩＰパケットを無線区間で効率的に伝送するために、不要な制御情報の圧縮を行うヘッダ圧縮機能を持つ。また、ＰＤＣＰ層は、データの暗号化の機能も持つ。
【００４４】
無線リソース制御層（Radio Resource Control layer：ＲＲＣ層）は、制御情報のみ定義される。ＲＲＣ層は、無線ベアラ（Radio Bearer：ＲＢ）の設定・再設定を行い、論理チャネル、トランスポートチャネル及び物理チャネルの制御を行う。ＲＢは、制御データ無線ベアラ（Signaling Radio Bearer：ＳＲＢ）とデータ無線ベアラ（Data Radio Bearer：ＤＲＢ）とに分けられ、ＳＲＢは、制御情報であるＲＲＣメッセージを送信する経路として利用される。ＤＲＢは、ユーザー情報を送信する経路として利用される。基地局装置と移動局装置のＲＲＣ層間で各ＲＢの設定が行われる。
【００４５】
尚、ＰＨＹ層は一般的に知られる開放型システム間相互接続（Open Systems Interconnection：ＯＳＩ）モデルの階層構造の中で第一層の物理層に対応し、ＭＡＣ層、ＲＬＣ層及びＰＤＣＰ層はＯＳＩモデルの第二層であるデータリンク層に対応し、ＲＲＣ層はＯＳＩモデルの第三層であるネットワーク層に対応する。
【００４６】
[構成説明]
図１は、本発明の実施形態に係る移動局装置の構成を示す図である。移動局装置１−１〜１−３は、データ生成部１０１、送信データ記憶部１０３、送信ＨＡＲＱ処理部１０５、送信処理部１０７、無線部１０９、受信処理部１１１、受信ＨＡＲＱ処理部１１３、ＭＡＣ情報抽出部１１５、ＭＡＣ制御部１１９、データ処理部１２１、および、ＲＲＣ制御部１２３から構成される。
【００４７】
上位層からのユーザーデータおよびＲＲＣ制御部１２３からの制御データは、データ生成部１０１に入力される。データ生成部１０１は、ＰＤＣＰ層、ＲＬＣ層の機能を持つ。データ生成部１０１は、ユーザーデータのＩＰパケットのヘッダ圧縮やデータの暗号化、データの分割及び結合等の処理を行い、データサイズを調節する。データ生成部１０１は、処理を行ったデータを送信データ記憶部１０３に出力する。
【００４８】
送信データ記憶部１０３は、データ生成部１０１から入力されたデータを論理チャネル毎に蓄積し、ＭＡＣ制御部１１９からの指示に基づいて指示された論理チャネルのデータを指示されたデータ量分だけ送信ＨＡＲＱ処理部１０５に出力する。また、送信データ記憶部１０３は、論理チャネル毎の蓄積されたデータのデータ量の情報をＭＡＣ制御部１１９に出力する。
【００４９】
送信ＨＡＲＱ処理部１０５は、入力データに符号化を行い、符号化したデータにパンクチャ処理を行う。そして、送信ＨＡＲＱ処理部１０５は、パンクチャしたデータを送信処理部１０７に出力し、符号化したデータを保存する。送信ＨＡＲＱ処理部１０５は、ＭＡＣ制御部１１９からデータの再送を指示された場合、保存してある符号化したデータから前回に行なったパンクチャと異なるパンクチャ処理を行い、パンクチャしたデータを送信処理部１０７に出力する。
【００５０】
送信処理部１０７は、送信ＨＡＲＱ処理部１０５から入力されたデータに変調・符号化を行なう。送信処理部１０７は、変調・符号化されたデータをＤＦＴ（Discrete Fourier Transform（離散フーリエ変換））−ＩＦＦＴ（Inverse Fast Fourier Transform（逆高速フーリエ変換））処理し、処理後、ＣＰ（Cyclic prefix）を挿入し、ＣＰ挿入後のデータを上りリンクの各コンポーネントキャリア（セル）の物理上りリンク共用チャネル（ＰＵＳＣＨ）に配置し、無線部１１１に出力する。また、送信処理部１０７は、ＰＨＹ制御部１１７から受信データの応答指示があった場合、ＡＣＫまたはＮＡＣＫ信号を生成し、生成した信号を物理上りリンク制御チャネル（ＰＵＣＣＨ）に配置し、無線部１０９に出力する。
【００５１】
無線部１０９は、送信処理部１０７から入力されたデータをＰＨＹ制御部１１７から指示された送信位置情報（送信セル情報）の無線周波数にアップコンバートし、送信電力を調整して送信アンテナからデータを送信する。また、無線部１０９は、受信アンテナより受信した無線信号をダウンコンバートし、受信処理部１１１に出力する。
【００５２】
受信処理部１１１は、無線部１０９から入力された信号をＦＦＴ（Fast Fourier Transform（高速フーリエ変換））処理、復号化、復調処理等を行なう。受信処理部１１１は、復調したデータの中で物理下りリンク共用チャネル（ＰＤＳＣＨ）のデータを受信ＨＡＲＱ処理部１１３に出力する。また、受信処理部１１１は、復調したデータの中で物理下りリンク制御チャネルＰＤＣＣＨから取得した制御データの上りリンク送信データの応答情報（ＡＣＫ／ＮＡＣＫ）および上りリンク送信許可情報（Uplink grant:上りリンクグラント）をＭＡＣ制御部１１９に出力する。尚、上りリンク送信許可情報は、データの変調・符号化方式、データサイズ情報、ＨＡＲＱ情報、送信位置情報などがある。
【００５３】
受信ＨＡＲＱ処理部１１３は、受信処理部１１１からの入力データの復号処理を行い、復号処理に成功した場合、データをＭＡＣ情報抽出部１１５に出力する。受信ＨＡＲＱ処理部１１３は、入力データの復号処理に失敗した場合、復号処理に失敗したデータを保存する。受信ＨＡＲＱ処理部１１３は、再送データを受信した場合、保存してあるデータと再送データを合成し、復号処理を行う。また、受信ＨＡＲＱ処理部１１３は、入力データの復号処理の成否をＭＡＣ制御部１１９に通知する。
【００５４】
ＭＡＣ情報抽出部１１５は、受信ＨＡＲＱ処理部１１３から入力されたデータからＭＡＣ層（Medium Access Control layer）の制御データを抽出し、抽出した制御情報をＭＡＣ制御部１１９に出力する。ＭＡＣ情報抽出部１１５は、残りのデータをデータ処理部１２１に出力する。データ処理部１２１は、ＰＤＣＰ層、ＲＬＣ層の機能を持ち、圧縮されたＩＰヘッダの解凍機能や暗号化されたデータの復号機能、データの分割及び結合等の処理を行い、データを元の形に戻す。データ処理部１２１は、ＲＲＣメッセージとユーザーデータに分け、ＲＲＣメッセージをＲＲＣ制御部１２３に出力し、ユーザーデータを上位層に出力する。
【００５５】
ＰＨＹ制御部１１７は、ＭＡＣ制御部１１９からの指示により送信処理部１０７、無線部１０９、および、受信処理部１１１を制御する。ＰＨＹ制御部１１７は、ＭＡＣ制御部１１９から通知された変調・符号化方式、送信電力情報および送信位置情報（送信セル情報）から変調・符号化方式および送信位置を送信処理部１０９に通知し、送信セルの周波数情報および送信電力情報を無線部１０９に通知する。
【００５６】
ＭＡＣ制御部１１９は、送信データ記憶部１０３から取得した論理チャネル毎のデータ量情報と受信処理部１１１から取得した上りリンク送信許可情報で示されている送信データサイズを元に各論理チャネルのデータの送信優先順位を決定し、送信する論理チャネルおよびデータ量を送信データ記憶部１０３に通知する。また、ＭＡＣ制御部１１９は、送信ＨＡＲＱ処理部１０５にＨＡＲＱ情報を通知し、ＰＨＹ制御部１１７に変調・符号化方式および送信位置情報（送信セル情報）を出力する。
【００５７】
また、ＭＡＣ制御部１１９は、受信処理部１１１から上りリンク送信データに対する応答情報を取得し、応答情報がＮＡＣＫ（否応答）を示していた場合、送信ＨＡＲＱ処理部１０５とＰＨＹ制御部１１７に再送を指示する。ＭＡＣ制御部１１９は、受信ＨＡＲＱ処理部１１３からデータの復号処理の成否情報を取得した場合、ＰＨＹ制御部１１７にＡＣＫまたはＮＡＣＫ信号を送信するように指示する。
【００５８】
ＭＡＣ制御部１１９は、ＭＡＣ層の機能を持ち、ＭＡＣ情報抽出部１１５から入力されたＭＡＣ制御情報の中でセル（または、コンポーネントキャリア）のアクティベーション／デアクティベーション指示情報及びＤＲＸ制御情報を取得した場合、アクティベーション／デアクティベーション制御及びＤＲＸ制御を行うために無線部１０９、送信処理部１０７及び受信処理部１１１の制御を行うためにＰＨＹ制御部１１７を制御する。
【００５９】
ＭＡＣ制御部１１９は、ＭＡＣ情報抽出部１１５から入力されたＭＡＣ制御情報の中で送信タイミング情報をＰＨＹ制御部１１７へ出力する。ＭＡＣ制御部１１９は、ＲＲＣ制御部１２３から入力された送信タイミンググループ情報を管理し、ＰＨＹ制御部１１７を制御する。
【００６０】
ＲＲＣ制御部１２３は、基地局装置３との接続・切断処理、キャリアアグリゲーションの設定、送信タイミンググループの設定など基地局装置３と通信を行うための各種設定を行う。ＲＲＣ制御部１２３は、前記各種設定に伴う上位層との情報のやり取りを行い、前記各種設定に伴う下位層の制御を行う。
【００６１】
ＲＲＣ制御部１２３は、ＲＲＣメッセージを作成し、作成したＲＲＣメッセージをデータ生成部１０１に出力する。ＲＲＣ制御部１２３は、データ処理部１２１から入力されたＲＲＣメッセージを解析する。ＲＲＣ制御部１２３は、自移動局装置の送信能力を示したメッセージを作成し、データ生成部１０１に出力する。また、ＲＲＣ制御部１２３は、ＭＡＣ層に必要な情報をＭＡＣ制御部１１９に出力し、物理層に必要な情報をＰＨＹ制御部１１７に出力する。
【００６２】
尚、送信処理部１０７、無線部１０９、受信処理部１１１、および、ＰＨＹ制御部１１７は、物理層の動作を行う。送信データ記憶部１０３、送信ＨＡＲＱ処理部１０５、受信ＨＡＲＱ処理部１１３、ＭＡＣ情報抽出部１１５、および、ＭＡＣ制御部１１９は、ＭＡＣ層の動作を行う。データ生成部１０１、および、データ処理部１２１は、ＲＬＣ層およびＰＤＣＰ層の動作を行う。ＲＲＣ制御部１２３は、ＲＲＣ層の動作を行う。
【００６３】
図２は、本発明の実施形態に係る基地局装置の構成を示す図である。基地局装置３は、データ生成部２０１、送信データ記憶部２０３、送信ＨＡＲＱ処理部２０５、送信処理部２０７、無線部２０９、受信処理部２１１、受信ＨＡＲＱ処理部２１３、ＭＡＣ情報抽出部２１５、ＰＨＹ制御部２１７、ＭＡＣ制御部２１９、データ処理部２２１、および、ＲＲＣ制御部２２３から構成される。
【００６４】
上位層からのユーザーデータおよびＲＲＣ制御２２３からの制御データは、データ生成部２０１に入力さる。データ生成部２０１は、ＰＤＣＰ層、ＲＬＣ層の機能を持ち、ユーザーデータのＩＰパケットのヘッダ圧縮やデータの暗号化、データの分割及び結合等の処理を行い、データサイズを調節する。データ生成部２０１は、処理を行ったデータとデータの論理チャネル情報を送信データ記憶部２０３に出力する。
【００６５】
送信データ記憶部２０３は、データ生成部２０１から入力されたデータをユーザー毎に蓄積し、ＭＡＣ制御部２１９からの指示に基づいて指示されたユーザーのデータを指示されたデータ量分だけ送信ＨＡＲＱ処理部２０５に出力する。また、送信データ記憶部２０３は、論理チャネル毎の蓄積されたデータのデータ量の情報をＭＡＣ制御部２１９に出力する。
【００６６】
送信ＨＡＲＱ処理部２０５は、入力データに符号化を行い、符号化したデータにパンクチャ処理を行う。そして、送信ＨＡＲＱ処理部２０５は、パンクチャしたデータを送信処理部２０７部に出力し、符号化したデータを保存する。送信ＨＡＲＱ処理部２０５は、ＭＡＣ制御部２１９からデータの再送を指示された場合、保存してある符号化したデータから前回に行なったパンクチャと異なるパンクチャ処理を行い、パンクチャしたデータを送信処理部２０７に出力する。
【００６７】
送信処理部２０７は、送信ＨＡＲＱ処理部２０５から入力されたデータに変調・符号化を行なう。送信処理部２０７は、変調・符号化されたデータを各セルの物理下りリンク制御チャネルＰＤＣＣＨ、下りリンク同期信号、物理報知チャネルＰＢＣＨ、物理下りリンク共用チャネルＰＤＳＣＨなどの信号及び各チャネルにマッピングし、マッピングしたデータを直列／並列変換、ＩＦＦＴ（Inverse Fast Fourier Transform（逆高速フーリエ変換））変換、ＣＰ挿入などのＯＦＤＭ信号処理を行い、ＯＦＤＭ信号を生成する。
【００６８】
そして、送信処理部２０７は、生成したＯＦＤＭ信号を無線部２０９に出力する。また、送信処理部２０７は、ＭＡＣ制御部２１９から受信データの応答指示があった場合、ＡＣＫまたはＮＡＣＫ信号を生成し、生成した信号を物理下りリンク制御チャネル（ＰＤＣＣＨ）に配置し、無線部２０９に出力する。
【００６９】
無線部２０９は、送信処理部２０７から入力されたデータを無線周波数にアップコンバートし、送信電力を調整して送信アンテナからデータを送信する。また、無線部２０９は、受信アンテナより受信した無線信号をダウンコンバートし、受信処理部２１１に出力する。受信処理部２１１は、無線部２０９から入力された信号をＦＦＴ（Fast Fourier Transform（高速フーリエ変換））処理、復号化、復調処理等を行なう。受信処理部２１１は、復調したデータの中で物理上りリンク共用チャネル（ＰＵＳＣＨ）のデータを受信ＨＡＲＱ処理部２１３に出力する。また、受信処理部２１１は、復調したデータの中で物理上りリンク制御チャネルＰＵＣＣＨから取得した制御データの下りリンク送信データの応答情報（ＡＣＫ／ＮＡＣＫ）、下りリンク無線品質情報（ＣＱＩ）及び上りリンク送信要求情報（スケジューリングリクエスト）をＭＡＣ制御部２１９に出力する。
【００７０】
受信ＨＡＲＱ処理部２１３は、受信処理部２１１からの入力データの復号処理を行い、復号処理に成功した場合、データをＭＡＣ情報抽出部２１５に出力する。受信ＨＡＲＱ処理部２１３は、入力データの復号処理に失敗した場合、復号処理に失敗したデータを保存する。受信ＨＡＲＱ処理部２１３は、再送データを受信した場合、保存してあるデータと再送データを合成し、復号処理を行う。また、受信ＨＡＲＱ処理部２１３は、入力データの復号処理の成否をＭＡＣ制御部２１９に通知する。
【００７１】
ＭＡＣ情報抽出部２１５は、受信ＨＡＲＱ処理部２１３から入力されたデータからＭＡＣ層の制御データを抽出し、抽出した制御情報をＭＡＣ制御部２１９に出力する。ＭＡＣ情報抽出部２１５は、残りのデータをデータ処理部２２１に出力する。データ処理部２２１は、ＰＤＣＰ層、ＲＬＣ層の機能を持ち、圧縮されたＩＰヘッダの解凍機能や暗号化されたデータの復号機能、データの分割及び結合等の処理を行い、データを元の形に戻す。データ処理部２２１は、ＲＲＣメッセージとユーザーデータに分け、ＲＲＣメッセージをＲＲＣ制御部２２３に出力し、ユーザーデータを上位層に出力する。
【００７２】
ＭＡＣ制御部２１９は、ＭＡＣ層の機能を持ち、ＲＲＣ制御部２２３や下位層などから取得した情報をもとにＭＡＣ層の制御を行う。ＭＡＣ制御部２１９は、下りリンクおよび上りリンクのスケジューリング処理を行う。ＭＡＣ制御部２１９は、受信処理部２１１から入力された下りリンク送信データの応答情報（ＡＣＫ／ＮＡＣＫ）、下りリンク無線品質情報（ＣＱＩ）及び上りリンク送信要求情報（スケジューリングリクエスト）、ＭＡＣ情報抽出部２１５から入力されたＢＳＲ及び送信データ記憶部２０３から取得したユーザー毎のデータ量情報から下りリンク及び上りリンクのスケジューリング処理を行う。ＭＡＣ制御部２１９は、スケジュール結果を送信処理部２０７に出力する。
【００７３】
また、ＭＡＣ制御部２１９は、受信処理部２１１から上りリンク送信データに対する応答情報を取得し、応答情報がＮＡＣＫ（否応答）を示していた場合、送信ＨＡＲＱ処理部２０５と送信処理部２０７に再送を指示する。ＭＡＣ制御部２１９は、受信ＨＡＲＱ処理部２１３からデータの復号処理の成否情報を取得した場合、送信処理部２０７にＡＣＫまたはＮＡＣＫ信号を送信するように指示する。
【００７４】
また、ＭＡＣ制御部２１９は、移動局装置１−１に割り当てたセル（または、コンポーネントキャリア）のアクティベーション／デアクティベーション処理や送信タイミンググループの管理等を行う。
【００７５】
ＲＲＣ制御部２２３は、移動局装置１−１との接続・切断処理、キャリアアグリゲーションの設定、送信タイミンググループの設定など移動局装置１−１と通信を行うための各種設定を行い、前記各種設定に伴う上位層との情報のやり取りを行い、前記各種設定に伴う下位層の制御を行う。
【００７６】
ＲＲＣ制御部２２３は、各種ＲＲＣメッセージを作成し、作成したＲＲＣメッセージをデータ生成部２０１に出力する。ＲＲＣ制御部２２３は、データ処理部２２１から入力されたＲＲＣメッセージを解析する。ＲＲＣ制御部２２３は、移動局装置１−１から移動局装置の送受信能力を示したメッセージを取得した場合、移動局装置の送受信能力情報に基づいて移動局装置１−１に適したキャリアアグリゲーションの設定を行う。また、ＲＲＣ制御部２２３は、ＭＡＣ層に必要な情報をＭＡＣ制御部２１９に出力し、物理層に必要な情報をＰＨＹ制御部２１７に出力する。
【００７７】
尚、送信処理部２０７、無線部２０９、受信処理部２１１、および、ＰＨＹ制御部２１７は、ＰＨＹ層の動作を行い、送信データ記憶部２０３、送信ＨＡＲＱ処理部２０５、受信ＨＡＲＱ処理部２１３、ＭＡＣ情報抽出部２１５、および、ＭＡＣ制御部２１９は、ＭＡＣ層の動作を行い、データ生成部２０１およびデータ処理部２２１は、ＲＬＣ層及びＰＤＣＰ層の動作を行いう。ＲＲＣ制御部２２３は、ＲＲＣ層の動作を行う。
【００７８】
[動作説明]
図９、図１０で説明した基地局装置が移動局装置に複数セルを割り当て、割り当てた複数のセルを介して基地局装置と移動局装置が通信を行なう無線通信システムを想定している。
【００７９】
同時に２つ以上の上りリンクコンポーネントキャリアに送信する能力のない移動局装置に対して、基地局装置がキャリアアグリゲーションを設定して、移動局装置が基地局装置からの指示に従って時間毎にコンポーネントキャリアを切り替えてデータを送信する方法が提案されている。
【００８０】
移動局装置が、キャリアアグリゲーション中に基地局装置からの指示に従って時間毎に上りリンクコンポーネントキャリアを切り替えてデータ送信する場合、基地局装置は、移動局装置が上りリンクコンポーネントキャリアを切り替えながらデータ送信する能力あるかどうかわからないと、基地局装置は移動局装置にコンポーネントキャリアの切り替え指示ができない。
【００８１】
このため、移動局装置は、基地局装置に自移動局装置の送信能力に関する情報を通知する。移動局装置は、送信能力に関する情報の中にキャリアアグリゲーションが可能か否かの情報を含め、更にキャリアアグリゲーション中の上りリンクコンポーネントキャリアの切り替えが可能か否かの情報を含める。下記に例を示す。
【００８２】
移動局装置１−１は、上りリンク送信が可能な周波数帯域情報および上りリンクコンポーネントキャリアを切り替えてデータ送信する制御が可能かどうかを示す情報を基地局装置３に通知する。例えば、移動局装置１−１は周波数帯域Ａと周波数帯域Ｂとでキャリアアグリゲーションが可能であり、キャリアアグリゲーション中は上りリンクコンポーネントキャリアの切り替え制御のみが可能な場合、図３のように、移動局装置１−１は周波数帯域Ａの情報、周波数帯域Ｂの情報、および、上りリンクコンポーネントキャリアの切り替え制御が可能であることを示した情報を少なくとも含めた移動局装置の送信能力に関するメッセージを作成して基地局装置３に送信する。
【００８３】
すなわち、移動局装置１−１は周波数帯域Ａおよび周波数帯域Ｂの周波数の組み合わせをサポートすることを示す周波数帯域情報（Supported Band combination）を基地局装置３へ送信する。また、移動局装置１−１は周波数帯域情報に含まれる周波数帯域Ａおよび周波数帯域Ｂの上りリンクの周波数帯域を、基地局装置３の指示に従って動的に切り替えて送信が可能なことを示す周波数切り替え可否情報を基地局装置３へ送信する。これらの情報は、移動局装置１−１が基地局装置３を変更するとき、すなわちハンドオーバーの際に、ハンドオーバー元の基地局装置３（ソース基地局装置）からハンドオーバー先の基地局装置３（ターゲット基地局装置）へ転送されてもよい。また、ターゲット基地局装置が上りリンクの周波数帯域の切り替えをサポートしていない場合は、ソース基地局装置は周波数帯域情報のみを転送し、周波数切り替え可否情報をターゲット基地局装置へ転送しなくてもよい。
【００８４】
基地局装置３は移動局装置１−１から上記メッセージを受信すると、基地局装置３は移動局装置１−１が周波数帯域Ａおよび周波数帯域Ｂとでキャリアアグリゲーションが可能であり、更にキャリアアグリゲーション時の動作は切り替え制御のみでの動作が可能な移動局装置と判断する。
【００８５】
尚、上りリンクコンポーネントキャリアの切り替え制御が可能であることを示した情報は、可能または不可能を示した１ビットのフラグ情報のような情報でも構わない。また、移動局装置１−１が周波数帯域Ａ、周波数帯域Ｂおよび周波数帯域Ｃの３つの周波数帯域でキャリアアグリゲーションが可能であり、上りリンクコンポーネントキャリアの切り替え制御が可能な場合、移動局装置１−１は周波数帯域Ａの情報、周波数帯域Ｂの情報、周波数帯域Ｃの情報および、上りリンクコンポーネントキャリアの切り替え制御のみが可能であることを示した情報を少なくとも含めたメッセージを作成しで基地局装置３に送信する。
【００８６】
基地局装置３は、上記のような情報を移動局装置１−１から取得した場合、移動局装置の送信能力に応じてキャリアアグリゲーションのコンポーネントキャリアを移動局装置１−１に設定する。尚、移動局装置１−１が、キャリアアグリゲーション中に２つ以上の周波数帯域での同時送信が可能であり、更に上りリンクコンポーネントキャリアの切り替え制御が可能な場合、図４のようにキャリアアグリゲーション可否情報も基地局装置３に通知するようにしても良い。
【００８７】
あるいは、前記移動局装置の送信能力に関するメッセージに、周波数帯域Ａと周波数帯域Ｂの組み合わせ情報と、上りリンクコンポーネントキャリアの切り替え制御が可能であることを示した情報が含まれる場合、基地局装置３は、移動局装置１−１が周波数帯域Ａと周波数帯域Ｂにおいて上りリンクコンポーネントキャリアの切り替え制御による送信が可能であると判断し、周波数帯域Ａと周波数帯域Ｂの組み合わせ情報は含まれるが、上りリンクコンポーネントキャリアの切り替え制御が可能であることを示した情報が含まれない場合、基地局装置３は、移動局装置１−１が周波数帯域Ａと周波数帯域Ｂにおいて同時送信が可能であると判断してもよい。
【００８８】
別の方法として、移動局装置１−１は、移動局装置がサポートする上りリンク送信の周波数帯域の情報を別々の情報として基地局装置３に通知し、その上で、上りリンクコンポーネントキャリアの切り替え制御が可能であることを示した切り替え制御の可否情報を通知するようにしても良い。
【００８９】
例えば、移動局装置１−１が周波数帯域Ａと周波数帯域Ｂでの上りリンク送信が可能であり、上りリンクコンポーネントキャリアの切り替え制御が可能な場合、図５のように、移動局装置１−１は上りリンク送信が可能な周波数帯域として周波数帯域Ａと周波数帯域Ｂを基地局装置３に通知し、その上で、上りリンクコンポーネントキャリアの切り替え制御が可能であることを示した切り替え制御の可否情報を通知する。尚、上りリンクコンポーネントキャリアの切り替え制御が不可能な移動局装置は、上りリンクコンポーネントキャリアの切り替え制御の可否情報を通知しなくても良い。
【００９０】
基地局装置３は移動局装置１−１から上記メッセージを受信すると、基地局装置３は、移動局装置１−１が周波数帯域Ａの上りリンク送信、周波数帯域Ｂの上りリンク送信および切り替え制御を利用した周波数帯域Ａおよび周波数帯域Ｂとのキャリアアグリゲーションが可能な移動局装置と判断する。
【００９１】
尚、移動局装置１−１がキャリアアグリゲーション中に２つ以上の周波数帯域での同時送信が可能であり、上りリンクコンポーネントキャリアの切り替え制御が可能な場合、更に上りリンク送信の周波数帯域の情報にキャリアアグリゲーション可能な周波数帯域情報を基地局装置３に通知する。
【００９２】
例えば、移動局装置１−１が周波数帯域Ａと周波数帯域Ｂでの上りリンク送信が可能であり、周波数帯域Ａおよび周波数帯域Ｂとのキャリアアグリゲーションでの上りリンクの同時送信が可能であり、更に上りリンクコンポーネントキャリアの切り替え制御が可能な場合、図６のように、移動局装置１−１は上りリンク送信が可能な周波数帯域として周波数帯域Ａ、周波数帯域Ｂ、“周波数帯域Ａおよび周波数帯域Ｂ”を基地局装置３に通知し、その上で、上りリンクコンポーネントキャリアの切り替え制御が可能であることを示した切り替え制御の可否情報を通知する。
【００９３】
基地局装置３は移動局装置１−１から上記メッセージを受信すると、基地局装置３は、移動局装置１−１が周波数帯域Ａの上りリンク送信、周波数帯域Ｂの上りリンク送信、および、周波数帯域Ａおよび周波数帯域Ｂとのキャリアアグリゲーションが可能である移動局装置と判断する。
【００９４】
尚、移動局装置１−１が無線部を含めた送信部を複数持っている場合、移動局装置１−１があるコンポーネントキャリアの周波数帯域から別のコンポーネントキャリアの周波数帯域に切り替えて送信処理を行うため処理時間は短くて済む。しかし、移動局装置１−１が無線部を含めた送信部を複数持っていない場合、移動局装置１−１は周波数を切り替えるために時間を費やしてしまい、基地局装置３からの上りリンクグラントを取得しても送信できない場合がある。そのため、移動局装置１−１は、上りリンクコンポーネントキャリア切り替えのために周波数の切り替えの処理時間がかかるか否かの情報を更に通知するようにしても良い。
【００９５】
基地局装置３は、移動局装置１−１から周波数の切り替えのために時間がかかる旨の情報を受信すると移動局装置１−１に対して上りリンクコンポーネントキャリアの切り替え時間を考慮した上りリンクのスケジューリングを行う。
【００９６】
移動局装置１−１と基地局装置３の動作を説明する。尚、移動局装置１−１は、同時に２つ以上の上りリンクコンポーネントキャリアに送信する能力のない移動局装置であるが、周波数帯域Ａと周波数帯域Ｂとでキャリアアグリゲーションが可能であり、キャリアアグリゲーション中は上りリンクコンポーネントキャリアの切り替え制御のみが可能な移動局装置とする。
【００９７】
移動局装置１−１は、セルサーチを行い、基地局装置３の１つのセル（ここではセル１とする）を見つける。移動局装置１−１は、セル１の報知チャネルＰＢＣＨなどを受信し、セル１のシステム情報（セルの物理チャネル構成およびランダムアクセス情報など）を取得する。そして、移動局装置１−１は、初期アクセスのためにシステム情報に含まれるランダムアクセス情報を使用して、ランダムアクセス手順を実行する。
【００９８】
ランダムアクセス手順終了後、移動局装置１−１と基地局装置３は、接続のための各種設定手順を行う。接続のための各種設定手順の間に移動局装置１−１は、基地局装置３に自移動局装置の送受信能力に関する情報を通知する。送受信能力に関する情報は、上述したような上りリンク送信の周波数帯域の情報およびコンポーネントキャリアの切り替え制御の可否情報などである。ここでは、移動局装置１−１は周波数帯域Ａの情報、周波数帯域Ｂの情報、および、上りリンクコンポーネントキャリアの切り替え制御が可能であることを示した情報を少なくとも含めた移動局装置の送信能力に関する情報を基地局装置３に通知する。
【００９９】
基地局装置３は、移動局装置１−１から移動局装置１−１の送受信能力に関する情報を受信すると、移動局装置１−１の送受信能力に関する情報からキャリアアグリゲーションが可能か否か、及び、上りリンクコンポーネントキャリアの切り替え制御が可能どうかを識別する。そして、基地局装置３は、キャリアアグリゲーションを行うため追加のセル（ここではセル２とする）を設定する際に、上りリンクコンポーネントキャリアの切り替え制御のみが可能な移動局装置に対して、セル１およびセル２の２つのセルでの同時送信が発生しないように考慮して、上りリンクのスケジューリングを行う。基地局装置３は、下りリンク制御チャネルＰＤＣＣＨを通して上りリンクのスケジューリング情報である上りリンクグラントを移動局装置１−１に通知する。
【０１００】
移動局装置１−１は、基地局装置３からキャリアアグリゲーションの設定を受け、セル２を追加する。移動局装置１−１は、セル１またはセル２の下りリンク制御チャネルＰＤＣＣＨから自移動局装置宛ての上りリンクグラントを受信すると、上りリンクグラントのスケジューリング情報を基づいて、上りリンクコンポーネントキャリアを切り替えながら上りリンクでのデータを送信する。
【０１０１】
尚、基地局装置３が誤って２つ以上の上りリンクコンポーネントキャリアでの同時送信を示した上りリンクグラントを送信した場合、移動局装置１−１は、その上りリンクグラントを破棄するか、または、上りリンクグラントで示されたどちらか一方の上りリンクコンポーネントキャリアで上りリンクデータの送信を行う。例えば、移動局装置１−１は、第一セルの上りリンクコンポーネントキャリアに対する上りリンクグラントを優先してもよい。
【０１０２】
このように、移動局装置１−１が、基地局装置３に移動局装置の送信能力情報を通知することにより、基地局装置３は、移動局装置の送信能力情報を基づいて移動局装置１−１に対し、効率的なキャリアアグリゲーションの設定、および、上りリンクスケジューリングをすることが可能となる。
【０１０３】
以上、図面を参照してこの発明の一実施形態について詳しく説明してきたが、具体的な構成は上述のものに限られることはなく、この発明の要旨を逸脱しない範囲内において様々な設計変更等をすることが可能である。
【０１０４】
実施形態では、端末装置もしくは通信装置の一例として移動局装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来ることは言うまでもない。
【０１０５】
また、説明の便宜上、実施形態の移動局装置１−１及び基地局装置３を機能的なブロック図を用いて説明したが、移動局装置１−１及び基地局装置３の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行なっても良い。尚、ここでいう「コンピュータシステム」とは、ＯＳや周辺機器等のハードウェアを含むものとする。
【０１０６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【０１０７】
また、上記各実施形態に用いた各機能ブロックは、典型的には集積回路であるＬＳＩとして実現してもよい。各機能ブロックは個別にチップ化してもよいし、一部または全部を集積してチップ化してもよい。また、集積回路化の手法はＬＳＩに限らず専用回路または汎用プロセッサで実現しても良い。また、半導体技術の進歩によりＬＳＩに代替する集積回路化の技術が出現した場合、当該技術による集積回路を用いることも可能である。
【０１０８】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１０９】
１−１〜１−３  移動局装置
３  基地局装置
１０１、２０１  データ生成部  
１０３、２０３  送信データ記憶部
１０５、２０５  送信ＨＡＲＱ処理部
１０７、２０７  送信処理部
１０９、２０９  無線部
１１１、２１１  受信処理部
１１３、２１３  受信ＨＡＲＱ処理部
１１５、２１５  ＭＡＣ情報抽出部
１１７，２１７  ＰＨＹ制御部
１１９、２１９  ＭＡＣ制御部
１２１、２２１  データ処理部
１２３、２２３  ＲＲＣ制御部
【図１】
2016040855.tif 000003
【図２】
2016040855.tif 000004
【図３】
2016040855.tif 000005
【図４】
2016040855.tif 000006
【図５】
2016040855.tif 000007
【図６】
2016040855.tif 000008
【図７】
2016040855.tif 000009
【図８】
2016040855.tif 000010
【図９】
2016040855.tif 000011
【図１０】
2016040855.tif 000012
【図１１】
2016040855.tif 000013